(57)【要約】【課題】遊技者が遊技場所に居ながらにしてワゴンサービスを呼び出して注文を行うことができると共に、遊技者と呼び出された担当員の双方にとって作業が容易になり景品交換に要する時間が短縮できるようにしたワゴンサービス呼出しシステムを提供する。【解決手段】遊技者がワゴンサービスを呼ぶ場合、球収納容器１０の内方所定位置まで遊技球Ｂａを投入するだけで所定数の遊技球Ｂａを簡単に準備でき、この状態の球収納容器１０を容器セット部９にセットするだけで、ワゴンサービス１１に簡単かつ確実に呼出し信号を送信できる。このため、従来のような複雑な構成を備えない、可及的に簡素でコンパクトな構成により、遊技場所に居ながらにしてワゴンサービス１１を呼び出して注文を行うことができる。【選択図】図２
2007190056.tif 000002
【特許請求の範囲】
【請求項１】
ワゴンサービスを呼び出す呼出し手段を遊技機に対応して備えるワゴンサービス呼出しシステムにおいて、
前記呼出し手段は、内方の所定位置まで遊技球を投入することで所定数の遊技球を計数し得る球収納容器と、該球収納容器をそれぞれセット可能に前記遊技機に対応して配置された容器セット部と、を有し、
前記容器セット部は、内方が空状態又は前記所定数に満たない遊技球を収容した状態の前記球収納容器がセットされた際には前記ワゴンサービス側に呼出し信号を送信せず、内方に前記所定数の遊技球を収容した状態の前記球収納容器がセットされた際には前記呼出し信号を送信してなる、
ことを特徴とするワゴンサービス呼出しシステム。
【請求項２】
前記容器セット部は、底部に配置した連絡スイッチと、該連絡スイッチのオン時に前記呼出し信号を送信する送信器と、を有し、
前記連絡スイッチは、空状態又は前記所定数に満たない遊技球を収容した状態の前記球収納容器が前記容器セット部にセットされた際にはオンせず、前記所定数の遊技球収容状態の前記球収納容器が前記容器セット部にセットされた際にはオンしてなる、
請求項１記載のワゴンサービス呼出しシステム。
【請求項３】
前記球収納容器は、容器本体の中心軸を中心に旋回するように遊技球進入口から底部に向かって延びる螺旋部を有し、前記遊技球進入口から進入した先頭の遊技球が前記螺旋部を経由して前記底部に到達した状態で最後尾の遊技球が前記遊技球進入口の近傍にあるとき前記所定数となるように構成される、
請求項１又は２記載のワゴンサービス呼出しシステム。
【請求項４】
前記球収納容器は、遊技球の収容状態を目視にて確認可能な透明状に構成されると共に、前記所定数を超える個数の遊技球の収容状態では閉止し得ないように支持された蓋体を有してなる、
請求項１ないし３のいずれか記載のワゴンサービス呼出しシステム。
【発明の詳細な説明】
【技術分野】
【０００１】
本発明は、ワゴンサービス呼出しシステムに関し、詳しくは、パチンコ機等の遊技機で遊技する遊技者によるワゴンサービスの利用の向上を図り得る呼出しシステムに関する。
【背景技術】
【０００２】
一般に、パチンコホール等の遊技場では、遊技者に対するサービスの１つとして、遊技中の遊技者がサービス担当員に飲み物やタバコ等を注文すると、その注文に従って担当員が遊技者のもとへ運んで来るというワゴンサービスが知られている（例えば、特許文献１参照）。
【０００３】
上記特許文献１に記載のワゴンサービスのシステムでは、会員カードを利用した貯玉システムを実現するために台端末装置が設けられており、ワゴンサービスを希望する遊技者が、台端末装置のワゴンスイッチを操作してワゴンランプを点灯させると、担当員が、注文入力装置を携帯すると共に、景品が収納されたワゴンを遊技者まで運搬する。そして、注文入力装置に遊技者が希望する景品データを入力すると、注文入力装置が、景品内容を示す注文データを台端末装置に送信することで、台端末装置が、注文データが示す景品に相当する遊技球を貯玉システムの記憶貯玉数から引落し可能かを判断し、可能な場合には、その旨を報知すると共に、注文データを管理装置に出力して決済する。
【０００４】
このような構成により、上記システムでは、パチンコ機それぞれに対応する台端末装置のワゴンスイッチを遊技者が操作すると、ワゴンランプが点灯して、注文入力装置を携帯した担当員を呼ぶことができる。そして、台端末装置にＩＤカードを読込ませることで、台端末装置が、ＩＤカードを使用した遊技客に対応して遊技場用管理システムが記憶している記憶遊技球数内で景品に交換することを許容すると、遊技者が所望の景品を取得することができる。
【０００５】
【特許文献１】特開平９−２７６５１９号公報
【発明の開示】
【発明が解決しようとする課題】
【０００６】
しかし、上記特許文献１に記載のシステムは、遊技者が遊技場所に居ながらにして景品注文を行うことはできるものの、このサービスは、遊技者のＩＤカードから読み取った情報を遊技場用管理システムに通知するように各パチンコ機に設けた台端末装置と、交換対象の景品が指示されたときそれに対応する注文データを送信する注文入力装置と、該注文入力装置からの注文データを受信したとき台端末装置を使用している遊技者の記憶遊技球数から注文データに対応する景品に相当する遊技球数を引落すことが可能か否かを判断する判定手段と、を備える複雑な構成にて実現されている。そのため、システム実現のために多大な経費が必要となり、装置構成も大型化する虞がある。
【０００７】
そこで、上記ワゴンランプの点灯で担当員が遊技者のもとに呼ばれた後、上記ＩＤカードを使用することなく、遊技場で一般的に用いられている計数皿を使って、景品交換に必要な個数の遊技球を計数し、飲料品等の景品と交換するようにすることも考えられる。しかしその場合、上述したような経費の増大を回避できるなどの利点は得られるものの、担当員がその都度、計数皿を使って遊技球数を計数しなければ景品交換することはできず、担当員による作業が煩雑であると共に、遊技者が所望する景品の交換に多大な時間を要するという問題を生じる。
【０００８】
そこで本発明は、遊技者が遊技場所に居ながらにしてワゴンサービスを呼び出して注文を行うことができると共に、遊技者と呼び出された担当員の双方にとって作業が容易になり景品交換に要する時間が短縮できるように構成し、もって上記課題を解決したワゴンサービス呼出しシステムを提供することを目的とするものである。
【課題を解決するための手段】
【０００９】
請求項１に係る本発明は（例えば図１ないし図５参照）、ワゴンサービス（１１）を呼び出す呼出し手段を遊技機（５）に対応して備えるワゴンサービス呼出しシステムにおいて、
前記呼出し手段は、内方の所定位置まで遊技球（Ｂａ）を投入することで所定数（例えば３５個）の遊技球を計数し得る球収納容器（１０）と、該球収納容器（１０）をそれぞれセット可能に前記遊技機（５）に対応して配置された容器セット部（９）と、を有し、
前記容器セット部（９）は、内方が空状態又は前記所定数に満たない遊技球を収容した状態の前記球収納容器（１０）がセットされた際には前記ワゴンサービス（１１）側に呼出し信号を送信せず、内方に前記所定数の遊技球（Ｂａ）を収容した状態の前記球収納容器（１０）がセットされた際には前記呼出し信号を送信してなる、
ことを特徴とするワゴンサービス呼出しシステムにある。
【００１０】
請求項２に係る本発明は（例えば図２参照）、前記容器セット部（９）が、底部に配置した連絡スイッチ（１２）と、該連絡スイッチ（１２）のオン時に前記呼出し信号を送信する送信器（２２）と、を有し、
前記連絡スイッチ（１２）は、空状態又は前記所定数に満たない遊技球を収容した状態の前記球収納容器（１０）が前記容器セット部（９）にセットされた際にはオンせず、前記所定数の遊技球収容状態の前記球収納容器（１０）が前記容器セット部（９）にセットされた際にはオンしてなる、
請求項１記載のワゴンサービス呼出しシステムにある。
【００１１】
請求項３に係る本発明は（例えば図３及び図４参照）、前記球収納容器（１０）が、容器本体（１０ｃ）の中心軸（１３）を中心に旋回するように遊技球進入口（１０ａ）から底部（１０ｂ）に向かって延びる螺旋部（１５）を有し、前記遊技球進入口（１０ａ）から進入した先頭の遊技球（Ｂａ）が前記螺旋部（１５）を経由して前記底部（１０ｂ）に到達した状態で最後尾の遊技球（Ｂａ）が前記遊技球進入口（１０ａ）の近傍にあるとき前記所定数（例えば３５個）となるように構成される、
請求項１又は２記載のワゴンサービス呼出しシステムにある。
【００１２】
請求項４に係る本発明は（例えば図１ないし図５参照）、前記球収納容器（１０）が、遊技球（Ｂａ）の収容状態を目視にて確認可能な透明状に構成されると共に、前記所定数を超える個数の遊技球（Ｂａ）の収容状態では閉止し得ないように支持された蓋体（１６）を有してなる、
請求項１ないし３のいずれか記載のワゴンサービス呼出しシステムにある。
【００１３】
なお、上記カッコ内の符号は、図面と対照するためのものであるが、これは、発明の理解を容易にするための便宜的なものであり、特許請求の範囲の記載に何等影響を及ぼすものではない。
【発明の効果】
【００１４】
請求項１に係る本発明によると、遊技者がワゴンサービスを呼ぶ場合、球収納容器の内方所定位置まで遊技球を入れるだけで所定数の遊技球を簡単に準備できると共に、この状態の球収納容器を容器セット部にセットするだけでワゴンサービスに簡単かつ確実に呼出し信号を送信することができる。このため、従来のような、遊技者のＩＤカードから読み取った情報を台端末装置により遊技場用管理システムに通知し、注文入力装置からの注文データを受信したとき遊技者の記憶遊技球数から注文データに対応する景品に相当する遊技球数を引落すことが可能か否かを判定手段で判断するような複雑な構成を備えない、可及的に簡素でコンパクトな構成により、遊技場所に居ながらにしてワゴンサービスを呼び出して注文を行うことができるワゴンサービス呼出しシステムを実現できる。
【００１５】
請求項２に係る本発明によると、収容部底部の連絡スイッチが所定数の遊技球収容状態の球収納容器を容器セット部にセットした際にオンして、送信器が呼出し信号を送信するので、遊技球の収納状態で重量の異なる球収納容器によって連絡スイッチをオン／オフするという極めて簡素な構成により、ワゴンサービスを確実に呼び出すシステム構成が得られる。
【００１６】
請求項３に係る本発明によると、遊技球進入口から進入した先頭の遊技球が螺旋部を経由して底部に到達した状態で最後尾の遊技球が遊技球進入口の近傍にあるとき所定数となるように構成されるので、ワゴンサービスを呼ぶに際して、個数を数えることなく球収納容器に複数の遊技球を単に入れるだけで３５個等の所定数の遊技球を簡単かつ確実に得ることができる。従って、遊技者の負担を大幅に軽減することができると共に、遊技者のもとに呼ばれてから担当員が遊技球数を数える場合に比して担当員の負担をも軽減することができる。
【００１７】
請求項４に係る本発明によると、球収納容器が、遊技球の収容状態を目視にて確認可能な透明状に構成されると共に、所定数を超える個数の遊技球の収容状態では閉止し得ないように支持された蓋体を有するので、球収納容器によって所定数の遊技球を計数する作業をより簡便にすることができる。
【発明を実施するための最良の形態】
【００１８】
以下、本発明に係るワゴンサービス呼出しシステムの実施の形態として、遊技場等に設置される遊技機であるパチンコ機に対応して設けられるワゴンサービス呼出しシステムを例に挙げ、図に沿って説明する。
【００１９】
なお、図１は本発明に係るワゴンサービス呼出しシステムを示す図であり、（ａ）は遊技島設備を含むシステム全体を示す図、（ｂ）は呼出し表示パネルを示す正面図である。また、図２はワゴンサービス呼出しシステムに用いる球収納容器を詳細に示す図であり、（ａ）は球収納容器を収容する容器セット部を示す正面断面図、（ｂ）は容器セット部に球収納容器を収容した状態を示す正面断面図、（ｃ）は所定数の遊技球を収容した球収納容器を容器セット部に収容した状態を示す正面断面図である。更に、図３は球収納容器を詳細に示す斜視図、図４は所定数の遊技球を収容した球収納容器を詳細に示す斜視図、図５はワゴンサービス呼出しシステム全体の変形例を示す図である。
【００２０】
図１に示すように、遊技島設備１は、図の左右方向に延在するランプ板２や幕板３に沿って順次配列された複数（同図では便宜上４台のみ表示）のパチンコ機（遊技機）５を有している。各パチンコ機５は発射ハンドル６を有しており、ランプ板２には、各パチンコ機５にそれぞれ対応して、データ表示器７と、円筒状の容器セット部９と、該容器セット部９に収容（セット）された円筒状の球収納容器１０と、が設けられている。
【００２１】
本実施形態におけるワゴンサービス呼出しシステムでは、上記遊技島設備１に配置された複数のパチンコ機５それぞれに、ワゴンサービス１１を呼び出す呼出し手段を備えている。この呼出し手段は、内方の所定位置まで遊技球Ｂａを入れた状態で所定数（例えば３５個）丁度の個数となるように形成された上記球収納容器１０と、該球収納容器１０をそれぞれセット可能にパチンコ機５に対応して配置された上記容器セット部９と、を備える。
【００２２】
図２に示すように、容器セット部９は、内方が空状態又は上記所定数に満たない遊技球を収容した状態の球収納容器１０がセットされた際にはワゴンサービス１１側の受信器（図示せず）に呼出し信号を送信せず、内方に上記所定数の遊技球Ｂａを収容した状態の球収納容器１０がセットされた際には呼出し信号を送信するように構成される。つまり、この容器セット部９は、容器内の底部に連絡スイッチ１２を有すると共に、容器外の底面に、連絡スイッチ１２のオン時に呼出し信号を送信する送信器２２と、を有している。連絡スイッチ１２は、空状態又は上記所定数に満たない遊技球を収容した状態の球収納容器１０が容器セット部９にセットされた際には、この球収納容器１０の重量の軽さに起因して図２（ｂ）に示すオフ状態を保持し、かつ上記所定数の遊技球を収容した状態の球収納容器１０が容器セット部９にセットされた際には図２（ｃ）に示すようにオンし得る弾性を備えて構成される。この構成は、金属製の遊技球１つ１つが互いに同じ体積及び同じ重量を有することから、所定数（例えば３５個）の遊技球を球収納容器１０に収容した場合、このときの球収納容器１０の重量が連絡スイッチ１２の上記弾性に抗して該スイッチ１２をオンすることで実現している。
【００２３】
また、呼出し信号を受信するワゴンサービス１１側には、図１（ｂ）に示す呼出し表示パネル２３が配置されており、この呼出し表示パネル２３は、ワゴンサービスの対象となるパチンコ機５それぞれの台番号を記載した番号記載部２４と、台番号に対応するパチンコ機５からの呼出し信号の有無を点灯表示する呼出し表示部２５と、を有している。同図に示す状態にあっては、３番台、６番台及び８番台がそれぞれ呼出し信号を送信しており、ワゴンサービス１１側に待機している担当員は、これらを目視で確認し、その呼出しに応答して各パチンコ機５に向かう。
【００２４】
上記球収納容器１０は、図２ないし図４に示すように、容器本体１０ｃと、該容器本体１０ｃの中心軸１３を中心に旋回するように遊技球進入口１０ａから底部１０ｂに向かって延びるように配置された螺旋部１５と、を有している。螺旋部１５は、その外周面を容器本体１０ｃの内壁に近接させた状態で、遊技球進入口１０ａと底部１０ｂとの間の円筒状空間に収容されている。そして、球収納容器１０は、遊技球進入口１０ａから進入した先頭の遊技球Ｂａが螺旋部１３を経由して底部１０ｂに到達した状態で最後尾の遊技球Ｂａが遊技球進入口１０ａの近傍にあるとき所定数（例えば３５個）となるように構成されている。
【００２５】
そして、上記球収納容器１０は、所定数（例えば３５個）に満たない個数の遊技球Ｂａの収容状態を目視にて確認可能な透明状に構成されると共に、上記所定数を超える個数の遊技球Ｂａの収容状態では閉止できない蓋体１６を有している。この場合、容器本体１０ｃ及び蓋体１６の双方を透明な合成樹脂（プラスチック）で作製しても、容器本体１０ｃのみを透明な合成樹脂で作製してもよい。
【００２６】
蓋体１６は、円板状に形成され、ヒンジ１７を介して容器本体１０ｃに対し回動自在に支持されると共に、ヒンジ１７と点対称の位置に固着された鉄片１９を有している。容器本体１０ｃにおけるヒンジ１７と点対称の位置には、ヒンジ１７を中心として蓋体１６が遊技球進入口１０ａ側に回動した際に鉄片１９を吸着して蓋体１６を閉止状態に保持するマグネット２０が取り付けられている。なお、遊技球収納サイズの異なる球収納容器１０を複数種用意すれば、上記所定数を、３０個、３５個、４０個のように、球収納容器１０の種類ごとに設定することができる。
【００２７】
また、ヒンジ１７に代えて、トグル機構（図示せず）を介して蓋体１６を容器本体１０ｃに回動支持することにより、蓋体１６を、図３に示す開放位置と、該開放位置から思案点を超えて遊技球進入口１０ａを塞ぐ閉止位置とに安定して保持するように構成することもできる。その場合、鉄片１９及びマグネット２０を設けることなく蓋体１６を開閉し得る構造が得られる。
【００２８】
なお、本実施の形態では、上記呼出し信号が、遊技島設備１を管理するホールコンピュータを経由することなくワゴンサービス１１に送信されるように構成されるが、これに限らず、図５に示すように、ホールコンピュータ２１を経由してワゴンサービス１１に送信されるように構成することもできる。また、本実施の形態では、各パチンコ機５に対応して装備された各容器セット部９からの呼出し信号を有線を介してワゴンサービス１１に伝達するように構成しているが、これに代えて、無線を介して伝達するように構成することもできる。
【００２９】
次に、本実施の形態による作用について説明する。すなわち、パチンコ機５に対座して遊技している遊技者が、コーヒーやジュース等の飲料品を注文しようとワゴンサービスを呼ぶ場合、まず、パチンコ機５に対応する容器セット部９から球収納容器１０を把持して取り出す。容器セット部９から取り出す前の球収納容器１０は、遊技球が収容されず軽い状態であるため、図２（ｂ）に示すように、連絡スイッチ１２がオフされている。
【００３０】
遊技者が、図３に示すように蓋体１６を持ち上げて開放し、手元の賞球箱（所謂ドル箱）などから掌にとった適宜数量の遊技球を、遊技球進入口１０ａから空状態の容器本体１０ｃに落とし込むと、それら遊技球は、螺旋部１５の傾斜に沿って中心軸１３を中心に旋回しながら底部１０ｂに向かって落下し、先頭の遊技球が底部１０ｂに当接した時点から螺旋部１５に沿って順次上方に溜まり始める。その後、最後尾の遊技球が遊技球進入口１０ａと略々面一になった時点で遊技球の投入を止めると、球収納容器１０は図４に示すように、蓋体１６を閉止し得る状態となる。
【００３１】
そして、この状態の球収納容器１０を容器セット部９に挿入すると、該セット部底部の連絡スイッチ１２が、所定数の遊技球を収容した球収納容器１０の重量で押下されてオンし（図２(c)参照）、呼出し信号がワゴンサービス１１側に送信される。これに応答して、ワゴンサービスの担当員が、受信した呼出し信号に対応するパチンコ機５に対座した遊技者のもとに来て、容器セット部９にセットされた球収納容器１０を取り出し、内方の遊技球の状態（即ち、最後尾の遊技球が遊技球進入口１０ａと略々面一になっているか否か）を目視で確かめ、蓋体１６を開けて遊技球を回収した上で、容器セット部９に戻した後、回収した遊技球数で交換が可能な飲料品を遊技者に手渡す。この場合、容器セット部９に戻された球収納容器１０は軽くなっているので、図２（ｂ）に示すように、連絡スイッチ１２がオンすることはない。
【００３２】
以上説明したように本実施形態では、遊技者がワゴンサービス１１を呼ぶ場合、球収納容器１０の内方所定位置まで遊技球Ｂａを投入するだけで所定数の遊技球Ｂａを簡単に準備できると共に、この状態の球収納容器１０を容器セット部９にセットするだけで、ワゴンサービス１１に簡単かつ確実に呼出し信号を送信することができる。このため、従来のような、遊技者のＩＤカードから読み取った情報を台端末装置により遊技場用管理システムに通知し、注文入力装置からの注文データを受信したとき遊技者の記憶遊技球数から注文データに対応する景品に相当する遊技球数を引落すことが可能か否かを判定手段で判断するような複雑な構成を備えない、可及的に簡素でコンパクトな構成により、遊技場所に居ながらにしてワゴンサービス１１を呼び出して注文を行うことができる。また、ワゴンサービス１１側及び該サービス１１を呼ぶ遊技者側の双方の手順が効率化され、注文品の授受が従来に比して格段に迅速になる。つまり、遊技者と呼び出された担当員の双方にとって作業が容易になり景品交換に要する時間を短縮することができる。
【００３３】
また、球収納容器１０に備えた連絡スイッチ１２が、空状態又は上記所定数に満たない遊技球を収容した状態の球収納容器１０を容器セット部９に収容した際にはオンせず、上記所定数の遊技球収容状態の球収納容器１０を容器セット部９に収容した際にオンして呼出し信号を送信するので、遊技球の収納状態で重量の異なる球収納容器１０によって連絡スイッチ１２をオン／オフするという極めて簡素な構成により、ワゴンサービス１１を確実に呼び出すシステム構成が実現できる。
【００３４】
更に、球収納容器１０は、遊技球進入口１０ａから進入した先頭の遊技球Ｂａが螺旋部１５を経由して底部１０ｂに到達した状態で最後尾の遊技球Ｂａが遊技球進入口１０ａの近傍にあるとき所定数となるように構成される。このため、ワゴンサービス１１を呼ぶに際して、個数を数えることなく球収納容器１０に複数の遊技球Ｂａを単に投入するだけで３５個等の所定数の遊技球Ｂａを簡単かつ確実に得ることができる。従って、遊技者の負担を大幅に軽減することができると共に、遊技者のもとに呼ばれてから担当員が遊技球数を数える場合に比して担当員の負担をも軽減することができる。
【００３５】
また、球収納容器１０が、遊技球Ｂａの収容状態を目視にて確認可能な透明状に構成されると共に、所定数を超える個数の遊技球Ｂａの収容状態では閉止し得ないように支持された蓋体１６を有するので、球収納容器１０によって所定数の遊技球を計数する作業をより簡便にすることができる。
【００３６】
以上、本発明をその好適な実施の形態に基づいて説明したが、本発明のワゴンサービス呼出しシステムは、上記実施形態及び変形例の構成にのみ限定されるものではなく、上記実施形態及び変形例の構成から種々の修正及び変更を施したワゴンサービス呼出しシステムも、本発明の範囲に含まれる。
【図面の簡単な説明】
【００３７】
【図１】本発明に係るワゴンサービス呼出しシステムを示す図であり、（ａ）は遊技島設備を含むシステム全体を示す図、（ｂ）は呼出し表示パネルを示す正面図である。
【図２】球収納容器を詳細に示す図であり、（ａ）は球収納容器を収容する容器セット部を示す正面断面図、（ｂ）は容器セット部に球収納容器を収容した状態を示す正面断面図、（ｃ）は所定数の遊技球を収容した球収納容器を容器セット部に収容した状態を示す正面断面図である。
【図３】球収納容器を詳細に示す斜視図である。
【図４】所定数の遊技球を収容した球収納容器を詳細に示す斜視図である。
【図５】ワゴンサービス呼出しシステム全体の変形例を示す図である。
【符号の説明】
【００３８】
５    遊技機（パチンコ機）
９    容器セット部
１０    球収納容器
１０ａ    遊技球進入口
１０ｂ    底部
１０ｃ    容器本体
１１    ワゴンサービス
１２    連絡スイッチ
１３    中心軸
１５    螺旋部
１６    蓋体
２２    送信器
Ｂａ    遊技球
【図１】
2007190056.tif 000003
【図２】
2007190056.tif 000004
【図３】
2007190056.tif 000005
【図４】
2007190056.tif 000006
【図５】
2007190056.tif 000007